(57)【要約】【課題】  より安全に出金された現金を回収することができる現金処理装置を提供する。【解決手段】  本発明は、現金処理装置に関する。そして現金処理装置は、現金を収納する現金収納部と、操作者に排出する現金を保留する排出現金保留部と、現金収納部に収納されている現金を排出現金保留部に搬送する搬送手段と、現金収納部に収納されている現金を所定数以上排出する際、搬送手段に現金収納部に収納されている現金を排出現金保留部に搬送させる搬送制御処理を複数回に分けて実行し、１回の搬送制御処理を行った後、次の回の搬送制御処理を行うまでの間隔を、一定間隔又は操作者により行われる当該現金処理装置に対する所定の操作に応じた間隔とする搬送制御手段とを有することを特徴とする。【選択図】      図１
2015114999.tif 000002
【特許請求の範囲】
【請求項１】
現金を収納する現金収納部と、
操作者に排出する現金を保留する排出現金保留部と、
上記現金収納部に収納されている現金を上記排出現金保留部に搬送する搬送手段と、
上記現金収納部に収納されている現金を所定数以上排出する際、上記搬送手段に上記現金収納部に収納されている現金を上記排出現金保留部に搬送させる搬送制御処理を複数回に分けて実行し、１回の搬送制御処理を行った後、次の回の搬送制御処理を行うまでの間隔を、一定間隔又は上記操作者により行われる当該現金処理装置に対する所定の操作に応じた間隔とする搬送制御手段と
を有することを特徴とする現金処理装置。
【請求項２】
上記排出現金保留部に保留される現金の有無を検知する現金検知手段をさらに備え、
上記搬送制御手段は、１回の搬送制御処理を行い、上記現金検知手段により、上記排出現金保留部の現金が無い状態が検知された後、一定期間が経過してから次の回の搬送制御処理を実行する
ことを特徴とする請求項１に記載の現金処理装置。
【請求項３】
上記排出現金保留部には、保留している現金に上記操作者がアクセス可能な開口部が形成されており、
上記開口部には、開閉体が設けられており、
上記搬送制御手段は、少なくとも、搬送制御処理を行っている間、上記開閉体を閉状態に制御する
ことを特徴とする請求項１に記載の現金処理装置。
【請求項４】
上記操作者からの入力操作を受付けることが可能な入力部をさらに備え、
上記搬送制御手段は、１回の搬送制御処理を行い、上記入力部で上記操作者により所定の入力操作を受付けた後、次の回の搬送制御処理を実行する
ことを特徴とする請求項１又は３に記載の現金処理装置。
【請求項５】
現金処理装置が行う現金処理方法において、
現金を収納する現金収納部と、操作者に排出する現金を保留する排出現金保留部と、上記現金収納部に収納されている現金を上記排出現金保留部に搬送する搬送手段と、搬送制御手段とを備え、
上記搬送制御手段が、上記現金収納部に収納されている現金を所定数以上排出する際、上記搬送手段に上記現金収納部に収納されている現金を上記排出現金保留部に搬送させる搬送制御処理を複数回に分けて実行し、１回の搬送制御処理を行った後、次の回の搬送制御処理を行うまでの間隔を、一定間隔又は上記操作者により行われる当該現金処理装置に対する所定の操作に応じた間隔とする
ことを特徴とする現金処理方法。
【発明の詳細な説明】
【技術分野】
【０００１】
本発明は、現金処理装置及び現金処理方法に関し、例えば、銀行などの金融機関や店舗等で現金を管理するための装置等に適用し得る。
【背景技術】
【０００２】
金融機関の営業店カウンタ等に、窓口用現金処理機に代表される現金処理装置が設置されている。現金処理装置は、紙幣や硬貨の入金取引や出金取引等に利用される。職員は、例えば、現金処理装置の操作部、又は現金処理装置に接続された受付端末から操作を行うことにより、入金取引や出金取引を行うことができる。
【０００３】
従来の現金処理装置としては、例えば特許文献１の記載技術がある。特許文献１の装置では、収納している現金を出金（回収）する際に、収納庫に収納している現金を、出金口に移動させる構成となっている。
【先行技術文献】
【特許文献】
【０００４】
【特許文献１】特開平５−１６６０４３号公報
【発明の概要】
【発明が解決しようとする課題】
【０００５】
しかしながら、特許文献１の装置では、出金口の現金を一度に全て操作者（操作者）が回収する際、一度に現金を回収できない場合には、出金口に残った現金が盗難されるおそれがあった。
【０００６】
そのため、より安全に出金された現金を回収することができる現金処理装置及び現金処理方法が望まれている。
【課題を解決するための手段】
【０００７】
第１の本発明の現金処理装置は、（１）現金を収納する現金収納部と、（２）操作者に排出する現金を保留する排出現金保留部と、（３）上記現金収納部に収納されている現金を上記排出現金保留部に搬送する搬送手段と、（４）上記現金収納部に収納されている現金を所定数以上排出する際、上記搬送手段に上記現金収納部に収納されている現金を上記排出現金保留部に搬送させる搬送制御処理を複数回に分けて実行し、１回の搬送制御処理を行った後、次の回の搬送制御処理を行うまでの間隔を、一定間隔又は上記操作者により行われる当該現金処理装置に対する所定の操作に応じた間隔とする搬送制御手段とを有することを特徴とする。
【０００８】
第２の本発明は、現金処理装置が行う現金処理方法において、（１）現金を収納する現金収納部と、操作者に排出する現金を保留する排出現金保留部と、上記現金収納部に収納されている現金を上記排出現金保留部に搬送する搬送手段と、搬送制御手段とを備え、（２）上記搬送制御手段が、上記現金収納部に収納されている現金を所定数以上排出する際、上記搬送手段に上記現金収納部に収納されている現金を上記排出現金保留部に搬送させる搬送制御処理を複数回に分けて実行し、１回の搬送制御処理を行った後、次の回の搬送制御処理を行うまでの間隔を、一定間隔又は上記操作者により行われる当該現金処理装置に対する所定の操作に応じた間隔とすることを特徴とする。
【発明の効果】
【０００９】
より安全に出金された現金を回収することができる現金処理装置を提供する。
【図面の簡単な説明】
【００１０】
【図１】第１の実施形態に係る紙幣処理装置の機能的構成について示したブロック図である。
【図２】第１の実施形態に係る紙幣処理装置の概略断面図である。
【図３】第１の実施形態に係る紙幣処理装置の出金口を拡大して示す概略断面図である。
【図４】第１の実施形態に係る紙幣処理装置（制御部）の動作について示したフローチャートである。
【図５】第２の実施形態に係る紙幣処理装置の機能的構成について示したブロック図である。
【図６】第２の実施形態に係る紙幣処理装置（制御部）の動作について示したフローチャートである。
【発明を実施するための形態】
【００１１】
（Ａ）第１の実施形態
以下、本発明による現金処理装置及び現金処理方法の第１の実施形態を、図面を参照しながら詳述する。第１の実施形態では、本発明の現金処理装置を紙幣処理想定に適用した例について説明する。
【００１２】
（Ａ−１）第１の実施形態の構成
図２は、第１の実施形態に係る紙幣処理装置１０の内部構成例を示す図である。また、図１は、第１の実施形態に係る紙幣処理装置１０の機能的構成について示したブロック図である。
【００１３】
紙幣処理装置１０は、例えば、金融機関の営業店等に設置され、営業店等の内部で処理される現金の管理に用いられる。言い換えると、紙幣処置装置１０は、装置の操作者である金融機関の受付窓口員や職員等の操作者による操作に基づいて、紙幣の取引を行う端末（職員操作型端末）である。
【００１４】
紙幣処理装置１０は、図２に示すように、入金部の一例である入金口１２と、出金口１４と、媒体監視センサ１５、入力部１６、紙幣鑑別部の一例である紙幣認識部２０、一時集積部の一例である一時保留部２２と、搬送部２４、紙幣カセット３０Ａ〜３０Ｅ、リジェクト庫付紙幣カセット３５、及び表示部４０を有する。
【００１５】
入金口１２は、操作者が紙幣を投入する投入口である。入金口１２には、開口部を開閉するシャッタ（不図示）を設けるようにしてもよい。また、入金口１２は、束で投入された紙幣を一枚ずつ分離して繰り出す分離機能を有する。
【００１６】
出金口１４は、操作者に現金を排出するための排出現金保留部として機能するものである。また、出金口１４は、排出する紙幣を集積（保留）する集積機能（保留機能）に対応している。出金口１４は、一例として、紙幣を１００枚（最大集積枚数）集積できる容量を有するものとする。
【００１７】
紙幣認識部２０は、１枚ずつ通過していく紙幣の鑑別を行う。紙幣の進行方向は双方向に対応しており、紙幣認識部２０は、入金口１２側の方向から搬送される紙幣、およびその逆方向から搬送される紙幣の鑑別を行うことができる。例えば、紙幣認識部２０は、一時保留部２２に搬送されて集積される紙幣の金種、真偽（真券／偽券）、正損（正券／損券）および走行状態（正常／異常）などを鑑別し、通過する紙幣に対して、正常判定またはリジェクト判定を行う。なお、紙幣認識部２０による判定結果は、記憶部８０（図１）に記憶される。なお、以下では、紙幣認識部２０によりリジェクト判定された紙幣を「リジェクト紙幣」と呼ぶものとする。
【００１８】
ここで、本明細書において真券とは紙幣と鑑別されたものをいい、偽券とは紙幣と鑑別されなかったものをいう。また、正券とは真券と鑑別された紙幣のうち入金／出金に適すると鑑別されたものをいい、損券とは真券と鑑別された紙幣のうち入金／出金に適さないと鑑別されたものをいう。また、リジェクト判定は、偽券、損券（汚損、損壊、外形異常等）、走行異常（スキュー紙幣、重走等）といった要因に基づいて行われる。また、リジェクト紙幣には、出金紙幣として取り扱えない紙幣（例えば二千円札や五千円札）を含んでもよいし、外国紙幣を含んでもよい。
【００１９】
一時保留部２２は、紙幣の分離と集積の両方の機能を有する。例えば、一時保留部２２は、入金口１２から繰り出された後に紙幣認識部２０により鑑別された紙幣（リジェクト紙幣と正常紙幣）を、一時的に集積する。一時保留部２２に集積された紙幣は、入金した紙幣の口座計上などが確定したなど、取引が成立した場合に繰り出され、紙幣カセット３０Ａ〜３０Ｅ、リジェクト庫付紙幣カセット３５などに搬送される。なお、一時保留部２２は、紙幣を順次重ねて集積する集積式であってもよいし、紙幣を順次巻いて収納するドラム式であってもよい。
【００２０】
搬送手段としての搬送部２４は、搬送路、紙幣を搬送する搬送ローラ、および搬送ローラを駆動する駆動機構を含み、紙幣を一枚ずつ搬送（移動）する。駆動機構は、例えばＤＣサーボモータまたはパルスモータなどが回転することにより、搬送ローラを駆動する。例えば、搬送部２４は、入金口１２に投入された紙幣を一時保留部２２に搬送する。また、搬送部２４は、一時保留部２２に集積されたリジェクト紙幣をリジェクト庫付紙幣カセット３５（後述するリジェクト紙幣収納部３５２）に搬送し、一時保留部２２に集積された正常紙幣を紙幣カセット３０Ａ〜３０Ｅ又はリジェクト紙幣をリジェクト庫付紙幣カセット３５（後述する紙幣収納部３５１）に搬送する。紙幣カセット３０Ａ〜３０Ｅは、それぞれ正常紙幣を収納するための紙幣収納部３０１を備えている。また、リジェクト庫付紙幣カセット３５は、正常紙幣を収納するための紙幣収納庫３５１及びリジェクト紙幣を収納するためのリジェクト庫３５２を有している。
【００２１】
紙幣カセット３０Ａ〜３０Ｅ（紙幣収納部３０１）及びリジェクト庫付紙幣カセット３５（紙幣収納部３５１）は、それぞれ紙幣を金種毎に予め設定された設定枚数だけ収納可能であり、紙幣の集積および分離の両方の機能に対応している。また、紙幣カセット３０Ａ〜３０Ｅ（紙幣収納部３０１）及びリジェクト庫付紙幣カセット３５（紙幣収納部３５１）は、同一金種のための複数の紙幣カセットを含んでもよい。例えば、紙幣カセット３０Ａおよび３０Ｃが一万円札用の紙幣カセットであり、紙幣カセット３０Ｂおよび３０Ｄが千円札用の紙幣カセットであってもよい。
【００２２】
リジェクト庫付紙幣カセット３５は、上述の通り紙幣収納部３５１及びリジェクト紙幣収納部３５２を有している。リジェクト紙幣収納部３５２は、リジェクト紙幣を予め設定された設定枚数だけ収納する。また、紙幣収納部３５１は、紙幣カセット３０Ａ〜３０Ｅの紙幣収納部３０１と同様の機能を果たすものである。リジェクト庫付紙幣カセット３５のリジェクト紙幣収納部３５２には、リジェクト紙幣の他に、正常紙幣、外国紙幣、偽造券等の様々な区別をされた紙幣も収納可能である。また、リジェクト庫付紙幣カセット３５は、紙幣処理装置１０に対して着脱可能な構造になっており、個別に交換することで紙幣の回収が可能である。
【００２３】
また、紙幣カセット３０Ａ〜３０Ｅ、及びリジェクト庫付紙幣カセット３５は、紙幣処理装置１０の装置本体から挿抜可能な下部ユニット９０に装着されている。このため、作業者は、下部ユニット９０を引き出した後に、紙幣カセット３０Ａ〜３０Ｅやリジェクト庫付紙幣カセット３５に収納された紙幣を抜き取ることができる。なお、図２では、紙幣カセット３０Ａ〜３０Ｅ及びリジェクト庫付紙幣カセット３５は、下部ユニット９０に直接着脱可能に設けられている。ただし、紙幣カセット３０Ａ〜３０Ｅ及びリジェクト庫付紙幣カセット３５は、下部ユニット９０を介さずに直接紙幣処理装置１０の筐体に装着されるようにしてもよい。
【００２４】
以上のように紙幣カセット３０Ａ〜３０Ｅ及びリジェクト庫付紙幣カセット３５は、現金収納部として機能する。
【００２５】
表示部４０は、メニュー画面や処理結果画面を表示する。表示部４０は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。
【００２６】
入力部１６は、操作者からの操作を受付け可能な入力手段（操作受付手段）である。入力部１６は、例えば、テンキーや方向キー（矢印キー）等のハードキーを用いて構成するようにしてもよい。紙幣処理装置１０では、入力部１６を用いて受付けた操作者からの操作に基づいて、入金や出金の取引に対応する入金処理や出金処理等を行うことができる。なお、紙幣処理装置１０では、入力部１６及び表示部４０を、外付けの端末（例えば、ＰＣ等を用いた端末）を用いて実現するようにしてもよい。
【００２７】
次に、出金口１４の詳細構成について図３を用いて説明する。
【００２８】
図３は、出金口１４の部分を拡大して示す概略断面図である。
【００２９】
ＡＴＭ１０の上面１１ａには、操作者に、出金口１４に保留された紙幣Ｍにアクセスさせるための開口部（以下、「接客口」と呼ぶ）１４１（例えば、紙幣投入取出口）が設けられている。接客口１４１の上部には、異物が接客口１４１に混入することを防ぐためと防犯上の観点から開閉自在な開閉体としてのシャッタ１４３が設けられている。
【００３０】
シャッタ１４３の下部には、接客口１４１内の異物を検出する接客口センサ１４４（１４４ａ、１４４ｂ）が設けられており、手指や紙幣Ｍ等で接客口センサ１４４ａと接客口センサ１４４ｂとの間を遮ったときオン状態となり、遮るものがないときは、オフ状態を継続するように構成されているものとする。接客口センサ１４４の下部には、紙幣Ｍをセットし、セットされた紙幣Ｍを保持するための紙幣セット部１４２（１４２ａ、１４２ｂ）と、紙幣Ｍを抑えるための紙幣押え１４５とが設けられている。
【００３１】
また、出金口１４には、シャッタ１４３の開閉動作をさせるためのシャッタ駆動部１７が備えられている。シャッタ駆動部１７は、後述する制御部７０の制御に基づいて、シャッタ１４３を開状態、又は、閉状態に動作させる。シャッタ駆動部１７の具体的構成については限定されないものであるが、例えば、ＤＣサーボモータ、パルスモータ、ソレノイド等を用いて構成することができる。
【００３２】
更に、紙幣押え１４５と紙幣セット部１４２ｂには、互いに対向して媒体センサ１５（１５ａ、１５ｂ）が設けられている。この媒体センサ１５は、媒体センサ１５ａと媒体センサ１５ｂとの間に紙幣Ｍがセットされているとき（保留されているとき）オン状態となり、紙幣Ｍが存在しないとき（保留されていないとき）オフ状態となるように構成されている。媒体センサ１５（１５ａ、１５ｂ）は例えば、光学的なセンサ（例えば、赤外線の発光素子及び受光素子を用いたセンサ）を用いて実現することができる。媒体センサ１５は、検知状態の信号を、後述する制御部７０に供給する。
【００３３】
図３に示すように、出金口１４では、紙幣セット部１４２（紙幣セット部１４２ａ、１４２ｂ）及び紙幣押え１４５により覆われた空間が、出金（排出）する紙幣Ｍ（操作者に排出する紙幣）を保留する紙幣保留部１４６として構成されている。
【００３４】
次に、図１を参照しながら、第１の実施形態に係る紙幣処理装置１０の機能構成例について説明する。
【００３５】
紙幣処理装置１０は、図１に示すように、前述した媒体監視センサ１５、入力部１６、シャッタ駆動部１７、紙幣認識部２０、一時保留部２２、搬送部２４、紙幣カセット３０Ａ〜３０Ｅ、及びリジェクト庫付紙幣カセット３５、に加えて、制御部７０と記憶部８０を備える。
【００３６】
制御部７０は、紙幣処理装置１０の動作全般を制御する。具体的には、制御部７０は、上述した入金処理、収納処理、出金処理、補充処理、回収処理等の基本処理を制御行う。また、制御部７０は、図１に示すように、収納管理部７１、カウント部７２、搬送制御部７３、及び媒体センサ監視部７４を有している。
【００３７】
収納管理部７１は、紙幣カセット３０Ａ〜３０Ｅとリジェクト庫付紙幣カセット３５に収納された紙幣の収納状態を管理する。例えば、収納管理部７１は、紙幣カセット３０Ａ〜３０Ｅ及びリジェクト庫付紙幣カセット３５（紙幣収納部３５１）における紙幣の収納状態（例えば、実際に収納されている紙幣の枚数）を管理する。また、収納管理部７１は、判定した収納状態に基づいて、各収納庫（紙幣カセット３０Ａ〜３０Ｅ及びリジェクト庫付紙幣カセット３５）が収納可能な紙幣の残枚数を管理する。
【００３８】
媒体センサ監視部７４は、媒体監視センサ１５の検知状態（オン状態又はオフ状態）を監視する処理を行うものである。
【００３９】
カウント部７２は、時間を計時するタイマである。カウント部７２は、出金処理の際に、出金口１４に保留された紙幣が抜き取られてから経過した時間を計時する。具体的には、カウント部７２は、出金処理の際に、媒体監視センサ１５のオフ状態（紙幣が保留されてない状態）を検知すると、カウンタ値（タイマ値）をリセット（０に設定）して計時を開始し、一定期間ごとにカウンタ値をインクリメント（１加算）して、時間を計時する。
【００４０】
搬送制御処理としての搬送制御部７３は、搬送部２４による紙幣の搬送を制御する。例えば、搬送制御部７３は、入金紙幣の収納処理として、一時保留部２２に集積されたリジェクト紙幣と正常紙幣を、リジェクト庫付紙幣カセット３５と紙幣カセット３０Ａ〜３０Ｅへ搬送させる。すなわち、搬送制御部７３は、リジェクト紙幣をリジェクト庫付紙幣カセット３５（リジェクト紙幣収納部３５２）に搬送させ、正常紙幣を対応する金種の紙幣カセット３０Ａ〜３０Ｅ又はリジェクト庫付紙幣カセット３５（紙幣収納部３５１）に搬送させる。また、例えば、搬送制御部７３は、収納している紙幣の出金処理として、紙幣カセット３０Ａ〜３０Ｅ又はリジェクト紙幣収納部３５２のいずれかに収納された紙幣を、出金口１４まで移動（搬送）させる。
【００４１】
搬送制御部７３は、出金処理開始前にシャッタ駆動部１７を制御して、シャッタ１４３閉状態に動作させる。また、搬送制御部７３は、出金口１４で保留している紙幣の枚数が一定枚数Ｋ（Ｋは、紙幣保留部１４６で保留可能な任意の枚数）に達したときに、シャッタ１４３を開状態に動作させる。その後、搬送制御部７３は、媒体センサ監視部７４で監視される媒体監視センサ１５の検知状態がオフ状態（紙幣が保留されてない状態）となり、さらに、一定期間が経過（カウント部７２の値が設定値に到達）後に、シャッタ１４３を閉状態に動作させる。その後、搬送制御部７３は、出金口１４で保留している紙幣の枚数が一定枚数Ｋに達したときに、シャッタ１４３を開状態に動作させるという一連の処理を出金する枚数が操作者により出金が指示された枚数に達するまで継続する。
【００４２】
記憶部８０は、紙幣処理装置１０が動作するためのプログラム等を記憶する。また、記憶部８０は、紙幣認識部２０の鑑別結果（例えば、入金口１２から一時保留部２２へ搬送された紙幣に対する鑑別結果）を記憶しうる。
【００４３】
なお、上述した制御部７０、および記憶部８０の機能は、ＣＰＵ（Ｃｅｎｔｒａｌ Ｐｒｏｃｅｓｓｉｎｇ Ｕｎｉｔ）、ＲＯＭ（ＲｅａｄＯｎｌｙ Ｍｅｍｏｒｙ）、およびＲＡＭ（ＲａｎｄｏｍＡｃｃｅｓｓ Ｍｅｍｏｒｙ）等から成るハードウェア構成により実現してもよい。ＣＰＵは、演算機能および制御機能を有し、各種プログラムに従って紙幣処理装置１０の動作全般を制御する。ＲＯＭは、ＣＰＵが使用するプログラムや演算パラメータ等を記憶する。ＲＡＭは、ＣＰＵの実行において使用するプログラムや、その実行において適宜変化するパラメータ等を一時記憶する。
【００４４】
（Ａ−２）第１の実施形態の動作
次に、以上のような構成を有する第１の実施形態の紙幣処理装置１０（制御部７０）の動作（実施形態の現金処理方法）について図４のフローチャートを用いて説明する。
【００４５】
図４のフローチャートは、操作者の操作により、紙幣カセット３０Ａ〜３０Ｅ、リジェクト庫付紙幣カセット３５のいずれかから、出金口１４に紙幣が出金される処理（回収処理）の動作の例について示している。
【００４６】
まず、操作者により、操作手段（入力部１６、及び表示部４０）を用いて、紙幣カセット３０Ａ〜３０Ｅ又はリジェクト庫付紙幣カセット３５のいずれかから、出金口１４への紙幣の回収指示（出金処理の指示）の入力操作が行われ、その指示が、制御部７０（搬送制御部７３）により受付けられたものとする（Ｓ１０１）。
【００４７】
ここで、操作者により出金が指示された紙幣の枚数を、以下では「指示枚数Ｎ」と呼ぶものとする。指示枚数Ｎは、上述の一定枚数Ｋ以下となる場合もあり得るが、ここでは、Ｎ＞Ｋであるものとして説明する。なお、ステップＳ１０１において、紙幣処理装置１０は、指示枚数Ｎについて、具体的な数値ではなく、操作者に指定された紙幣カセットに収納された全ての紙幣を出金対象とする指示として受付けるようにしてもよい。
【００４８】
次に、搬送制御部７３により出金処理開始前の準備処理が行われる（Ｓ１０２）。具体的には、搬送制御部７３は、シャッタ１４３が閉状態に遷移させる（すでに閉状態である場合には、その状態の確認のみを行う）。
【００４９】
次に、搬送制御部７３は、カウント部７２のカウンタ値に基づいて、該当する紙幣カセット（ステップＳ１０１で指示された紙幣カセット）から、出金口１４に一定枚数Ｋの紙幣を搬送するように制御する（Ｓ１０３）。なお、搬送制御部７３は、今回の出金処理で、これまでに出金口１４に搬送した紙幣の枚数の合計値を指示枚数Ｎから減じた残りの枚数（出金すべき残りの紙幣の枚数）が、Ｋ以下の場合には、ステップＳ１０３において、その残りの枚数を出金口１４に移動させる制御を行う。
【００５０】
次に、搬送制御部７３は、シャッタ駆動部１７を制御して、シャッタ１４３を開状態に動作させる（Ｓ１０４）。
【００５１】
次に、搬送制御部７３は、媒体センサ監視部７４で監視される媒体監視センサ１５の検知状態がオフ状態（紙幣が保留されていない状態）となるまで待機する（Ｓ１０５）。媒体センサ監視部７４で監視される媒体監視センサ１５の検知状態がオフ状態となった段階で、カウント部７２のカウンタ値（タイマ値）が初期化（０に設定）され、時間計時（カウンタ値のカウントアップ）が開始される。
【００５２】
次に、搬送制御部７３は、今回の出金処理で、これまでに出金口１４に移動した紙幣の枚数の合計値が指示枚数Ｎとなったか否かを判定し（Ｓ１０６）、指示枚数Ｎとなった場合出金処理を終了し、指示枚数Ｎ未満の場合は、後述するステップＳ１０７から動作する。
【００５３】
ステップＳ１０６で、移動した紙幣の枚数が指示枚数Ｎとなったと判定されると、搬送制御部７３は、一定時間経過するまで（カウント部７２のカウンタ値が所定値となるまで）待機し（Ｓ１０７）、さらに、シャッタ１４３を閉状態に制御（Ｓ１０８）してから上述のステップＳ１０３に戻って動作する。ステップＳ１０７の処理に設定される待機期間（一定時間）は、例えば、５秒〜１０程度の間で設定するようにしてもよい。なお、搬送制御部７３では、この待機期間（一定時間）を操作者の操作に応じて任意の期間に設定可能とするようにしてもよい。
【００５４】
（Ａ−３）第１の実施形態の効果
第１の実施形態によれば、以下のような効果を奏することができる。
【００５５】
紙幣処理装置１０では、出金口１４に１回分の紙幣（Ｋ枚の紙幣）を移動し、出金口１４に保留された紙幣が抜き取られた後（媒体監視センサ１５がオフ状態となった後）、一定期間経過後（一定期間待機後）に、出金口１４への紙幣の移動を開始している。これにより、紙幣処理装置１０では、出金口１４に保留された紙幣が回収された後（抜き取られた後）、操作者がその回収した紙幣を別容器に収納等している間、出金口１４への紙幣の移動は行われず、出金口１４に紙幣は存在しないことになる。したがって、紙幣処理装置１０では、操作者が出金口１４の側に居ない状態で、出金口１４に紙幣が存在する期間を短縮又は無くすことができるので、出金口１４の紙幣が盗難される恐れが少なくなる。
【００５６】
また、紙幣処理装置１０では、少なくとも、出金口１４に紙幣が移動される間、出金口１４のシャッタ１４３を閉状態としているので、紙幣の移動中に操作者が出金口１４の側に居ない状態でも、出金口１４の紙幣が盗難される恐れがない。
【００５７】
（Ｂ）第２の実施形態
以下、本発明による現金処理装置及び現金処理方法の第２の実施形態を、図面を参照しながら詳述する。第２の実施形態では、本発明の現金処理装置を紙幣処理想定に適用した例について説明する。
【００５８】
（Ｂ−１）第２の実施形態の構成
図５は、第２の実施形態に係る紙幣処理装置１０Ａの機能的構成について示したブロック図であり、上述の図１と同一又は対応する部分には、同一又は対応する符号を付している。
【００５９】
第２の実施形態の紙幣処理装置１０Ａは、ハードウェア的な構成については、第１の実施形態と同様であるため詳しい説明は省略する。
【００６０】
図５に示すように、第２の実施形態の紙幣処理装置１０Ａでは、制御部７０が制御部７０Ａに置き換わっている点で第１の実施形態と異なっている。また、第２の実施形態では、搬送制御部７３が搬送制御部７３Ａに置き換わり、さらに、カウント部７２が搬送指示監視部７５に置き換わっている点で、第１の実施形態と異なっている。
【００６１】
搬送指示監視部７５は、操作者から所定の操作（例えば、入力部１６の所定のキーが押下されたか否か等）を監視する処理を行うものである。搬送制御部７３Ａ及び搬送指示監視部７５の詳細説明（第１の実施形態との差異）については、後述する動作説明で行う。
【００６２】
（Ｂ−２）第２の実施形態の動作
次に、以上のような構成を有する第２の実施形態の紙幣処理装置１０Ａ（制御部７０Ａ）の動作（実施形態の現金処理方法）について図６のフローチャートを用いて説明する。
【００６３】
図６のフローチャートでは、第１の実施形態の上述の図４と同様に、紙幣処理装置１０Ａ（制御部７０Ａ）が出金処理を行う動作の例について示している。図６では、上述の図４と同様の動作の処理については同一のステップ番号（符号）を付している。以下では、第２の実施形態の紙幣処理装置１０Ａ（制御部７０Ａ）の動作について、第１の実施形態との差異を説明する。
【００６４】
紙幣処理装置１０Ａ（制御部７０Ａ）では、第１の実施形態動作（上述の図４のフローチャート）のステップＳ１０７がステップＳ２０１に置き換わっている点で異なっている。
【００６５】
第２の実施形態において、ステップＳ１０６で、移動した紙幣の枚数が指示枚数Ｎとなったと判定されると、搬送制御部７３Ａは、操作者により、次の紙幣を移動することを指示する操作（入力部１６に対する操作）が行われるまで待機する（Ｓ２０１）。具体的には、搬送制御部７３Ａは、搬送指示監視部７５を用いて、入力部１６に対する操作状態を監視し、入力部１６に対して所定の操作（例えば、所定の図示しないハードキーが押下）されるまで待機する。このとき、搬送制御部７３Ａは、例えば、表示部４０に、「次の紙幣を出金するにはいずれかのキーを押下してください」等のメッセージを表示出力して、操作者に次の紙幣の出金を行うには入力部１６に対する所定の操作が必要であることを認識させるようにしてもよい。
【００６６】
そして、ステップＳ２０１で、操作者により、次の紙幣を移動することを指示する操作が行われると、搬送制御部７３Ａは、ステップＳ１０８に移行してシャッタ１４３を閉状態に制御する動作から行うことになる。
【００６７】
（Ｂ−３）第２の実施形態の効果
第２の実施形態によれば、以下のような効果を奏することができる。
【００６８】
第２の実施形態の紙幣処理装置１０Ａでは、出金口１４に１回分の紙幣（Ｋ枚の紙幣）を移動した後、操作者により入力部１６に所定の操作が行われたタイミングで、出金口１４への紙幣の移動を開始している。したがって、紙幣処理装置１０Ａでは、第１の実施形態と異なり、必ず操作者が出金口１４の側に居る状態で、紙幣の移動が再開されるため、紙幣の移動再開が早すぎて、操作者が出金口１４の側に居ない状態で、紙幣の移動が再開されることがない。また、紙幣処理装置１０Ａでは、操作者の意思で、紙幣の移動が再開されるタイミングが決定されるため、紙幣の移動が始まるまで操作者が余剰な時間待機すること等が必要なくなり、利便性が個以上する。
【００６９】
（Ｃ）他の実施形態
本発明は、上記の各実施形態に限定されるものではなく、以下に例示するような変形実施形態も挙げることができる。
【００７０】
（Ｃ−１）上記の各実施形態では、本発明の現金処理装置を、金融機関等の職員が利用する紙幣処理装置に適用した例について説明したが、その他の現金処理を伴う装置に適用するようにしてもよい。例えば、顧客操作型端末であって、紙幣を還流させる（リサイクルさせる）タイプのＡＴＭ（Ａｕｔｏｍａｔｅｄ  ｔｅｌｌｅｒ  ｍａｃｈｉｎｅ）に代表される自動取引装置の現金処理部に、本発明の現金処理装置を適用してもよい。自動取引装置は、銀行、駅構内およびコンビニエンスストアなど、多様な場所に設置されている。顧客は、この自動取引装置に表示される表示画面において各種操作を行うことにより、入金、出金および残高照会などの取引を行うことができる。
【００７１】
また、上記の各実施形態では、本発明の現金処理装置を紙幣処理装置に適用する例について説明したが、本発明の現金処理装置で処理対象となる現金は紙幣に限定されず、硬貨等の他の種類の現金であってもよい。
【００７２】
（Ｃ−２）上記の各実施形態では、ステップＳ１０３で紙幣を移動した後、すぐにステップＳ１０４でシャッタ１４３を開状態としているが、操作者から入力部１６に所定の操作（例えば、いずれかのキー押下）があった後に、シャッタ１４３を開状態とするようにしてもよい。この場合、例えば、第２の実施形態の搬送指示監視部７６と同様の処理により、操作者の操作を受付けてシャッタ１４３を開状態とするようにしてもよい。また、この場合、ステップＳ１０７の一定期間の待機を省略するようにしてもよい。
【００７３】
（Ｃ−３）上記の各実施形態の紙幣処理装置１０（１０Ａ）において、出金口１４のシャッタ１４３（シャッタ１４３に係る制御処理を含む）を省略した構成としてもよい。
【００７４】
（Ｃ−４）上記の各実施形態において、紙幣処理装置１０（１０Ａ）に搭載される出金口１４は１つであるが、２つ以上の出金口を設けて、順番に紙幣を出金するようにしてもよい。
【００７５】
（Ｃ−５）上記の各実施形態の紙幣処理装置１０（１０Ａ）では、出金口１４に紙幣が移動される間、出金口１４のシャッタ１４３を閉状態とするものとして説明したが、紙幣の移動の後に待機期間を設けて、その待機間の後にシャッタ１４３を開状態とするようにしてもよい。
【符号の説明】
【００７６】
１０…紙幣処理装置、１２…入金口、１４…出金口、１４１…接客口、１４２…紙幣セット部、１４３…シャッタ、１４４ａ…接客口センサ、１４４ｂ…接客口センサ、１４５…紙幣押え、１４６…紙幣保留部、１５…媒体監視センサ、１６…入力部、１７…シャッタ駆動部、２０…紙幣認識部、２２…一時保留部、２４…搬送部、３０Ａ〜３０Ｅ…紙幣カセット、３０１…紙幣収納部、３５…リジェクト庫付紙幣カセット、３５１…紙幣収納部、３５２…リジェクト紙幣収納部、４０…表示部、９０…下部ユニット、７０…制御部、７１…収納管理部、７２…カウント部、７３…搬送制御部、７４…媒体センサ監視部。
【図１】
2015114999.tif 000003
【図２】
2015114999.tif 000004
【図３】
2015114999.tif 000005
【図４】
2015114999.tif 000006
【図５】
2015114999.tif 000007
【図６】
2015114999.tif 000008